(57)【特許請求の範囲】
【請求項１】
合成樹脂製の燃料タンクを機械のフレーム上に載置した状態で固定する作業機械の燃料タンク取付装置であって、次の要件を具備することを特徴とする作業機械の燃料タンク取付装置。
(Ａ)  燃料タンクの上面側に配置した押えプレートと、燃料タンクの側面側でこの押えプレートを下向きに締め付ける締め付けロッドとによって、燃料タンクを上からフレーム上に押え込むように構成したこと。
(Ｂ)  上記燃料タンクにおける上記押えプレートに対面する上面側、及び上記機械のフレームに対面する下面側のうち少なくとも下面側において燃料タンク側に凹部を設ける一方、この凹部が対面する相手側に動き止め部材を突設し、この動き止め部材を上記凹部に嵌合させることによって燃料タンクを水平方向に固定するように構成したこと。
(Ｃ)  上記フレーム上にフロアプレートを、互いの間に上記燃料タンクが設置される空間が形成されるとともにこの空間の一側面が上記燃料タンクを外部から出し入れするためのタンク出し入れ口として外部に開口する状態で設け、上記締め付けロッドを、上記タンク出し入れ口側の燃料タンク側面に対面する状態で着脱自在、かつ、取り外し状態で上記燃料タンクの出し入れが可能となる状態で配置したこと。
【請求項２】
上記締め付けロッドをロッド本体と同本体の上端側に連設したねじ部とによって構成し、上記ロッド本体の下端部を上記フレームに係止させる一方、上記ねじ部を上記押えプレートの端部に挿通させ、このねじ部にナットをねじ込むことによって燃料タンクをフレーム上に押え込み固定するように構成し、かつ、上記締め付けロッドのねじ部をロッド本体よりも小径とすることによって両者の境界部分に段部を形成し、上記押えプレートの締め付け代をこの段部によって規制するように構成したことを特徴とする請求項１記載の作業機械の燃料タンク取付装置。
【請求項３】
上記燃料タンクにおける上記締め付けロッドに対面する側面部に、締め付けロッドに対する逃げ用の凹溝を上下方向に設けたことを特徴とする請求項１または２記載の作業機械の燃料タンク取付装置。
【請求項４】
上記動き止め部材として、ゴム等の摩擦係数の高い弾性材料から成る受けパッドを上記フレームの上面に取付け、この受けパッドには上面に凸部を設け、この凸部を含めた受けパッド上面を燃料タンクの下面に接触させた状態で、上記凸部を、燃料タンク下面に設けた凹部に嵌合させるように構成したことを特徴とする請求項１〜３のいずれか１項に記載の作業機械の燃料タンク取付装置。
【請求項５】
上記フレームの上面に金属製の止め板を取付け、上記受けパッドをこの止め板に嵌着したことを特徴とする請求項４記載の作業機械の燃料タンク取付装置。
【請求項６】
上記動き止め部材として、ゴム等の摩擦係数の高い弾性材料から成る押えパッドを上記燃料タンクと押えプレートとの間に挟み込む一方、燃料タンクの上面に凹部を設け、上記押えパッドをこの凹部に嵌合させるように構成したことを特徴とする請求項１〜５のいずれか１項に記載の作業機械の燃料タンク取付装置。
【請求項７】
上記押えプレートを、水平な本体部分の幅方向両側に立ち上がり壁を備えた断面Ｕ字形に形成するとともに、上記押えパッドをこの押えプレートに下側から外嵌する断面Ｕ字形に形成したことを特徴とする請求項６記載の作業機械の燃料タンク取付装置。
【請求項８】
上記押えパッドにおける燃料タンクに接触する面を多数のディンプルを備えた凹凸状に形成したことを特徴とする請求項６または７記載の作業機械の燃料タンク取付装置。
【請求項９】
上記押えパッドの上面に上向きに突出する突起を一体に設ける一方、上記押えプレートに係合穴を設け、上記突起をこの係合穴に係合させることによって押えパッドを押えプレートに結合するように構成したことを特徴とする請求項６〜８のいずれか１項に記載の作業機械の燃料タンク取付装置。
【発明の詳細な説明】
【技術分野】
【０００１】
本発明は油圧ショベル等の作業機械において燃料タンクを機械のフレームに固定する燃料タンク取付装置に関するものである。
【背景技術】
【０００２】
油圧ショベルを例にとって背景技術を説明する。
【０００３】
図７はミニショベルと称される小形の油圧ショベルを示している。
【０００４】
この油圧ショベルは、クローラ式の下部走行体１上に上部旋回体２が地面に対して鉛直な軸のまわりに旋回自在に搭載され、この上部旋回体２に、ブーム３、図示しないアーム、バケット及びこれらを駆動するブーム、アーム、バケット各シリンダ(ブームシリンダ
４のみを示す)から成る作業装置Ａが装着されて構成される。
【０００５】
上部旋回体２は、アッパーフレーム５にエンジン等の機器類及びこれらを覆うガードパネル６、運転席７等を取付けて構成される。
【０００６】
アッパーフレーム５は底板８を有し、この底板８と、底板８上に図示しない支柱によって取付けられたフロアプレート９との間に空間Ｓが形成され、燃料を貯蔵する燃料タンク１０がこの空間Ｓに設置される。
【０００７】
従来、この燃料タンク１０として全体を合成樹脂によって一体成形したものが公知である。
【０００８】
この合成樹脂製の燃料タンクは、金属製のものと比較して強度が低く、金属製タンクのようにアッパーフレーム底板８に直接ボルト止めできない。
【０００９】
そこで、合成樹脂製タンク固有の取付方式として、
(ｉ)  特許文献１に示されているように、一端がアッパーフレーム底板に止め付けられたバンドをタンクの一側面から上面にかけての半周部分に巻き付け、このバンドを他端側から締め込んでタンクをアッパーフレーム底板に押え込み固定するバンド方式、
(ｉｉ)  特許文献２に示されているように、タンク側面をアッパーフレーム底板上に設けられた垂直壁に接触させた状態で、反対側からバンドで締め込んで垂直壁に押し付ける押し付け方式
が提案されている。
【先行技術文献】
【特許文献】
【００１０】
【特許文献１】実開平５−２２３４２号公報
【特許文献２】特開２００１−９０１１２号公報
【発明の概要】
【発明が解決しようとする課題】
【００１１】
しかし、これら公知の方式によると、
(イ)  タンクを、アッパーフレーム底板(バンド方式)、または垂直壁(押し付け方式)との摩擦力のみによって固定すること、
(ロ)  タンクの外形が、曲面と段差を含んだ複雑な形状となっているため、バンドから
の締め付け力がタンク全体に均等に作用し難いこと
の二点により、とくに水平各方向のタンク固定力が不足し、油圧ショベル等の作業機械特有の激しい振動や衝撃によってタンクがずれ動くおそれがあった。
【００１２】
そこで本発明は、合成樹脂製の燃料タンクを機械のフレームに対し十分な固定力によって安定良く固定することができる作業機械の燃料タンク取付装置を提供するものである。
【課題を解決するための手段】
【００１３】
請求項１の発明は、合成樹脂製の燃料タンクを機械のフレーム上に載置した状態で固定する作業機械の燃料タンク取付装置であって、次の要件を具備するものである。
【００１４】
(Ａ)  燃料タンクの上面側に配置した押えプレートと、燃料タンクの側面側でこの押えプレートを下向きに締め付ける締め付けロッドとによって、燃料タンクを上からフレーム上に押え込むように構成したこと。
【００１５】
(Ｂ)  上記燃料タンクにおける上記押えプレートに対面する上面側、及び上記機械のフレームに対面する下面側のうち少なくとも下面側において燃料タンク側に凹部を設ける一方、この凹部が対面する相手側に動き止め部材を突設し、この動き止め部材を上記凹部に嵌合させることによって燃料タンクを水平方向に固定するように構成したこと。
【００１６】
(Ｃ)  上記フレーム上にフロアプレートを、互いの間に上記燃料タンクが設置される空間が形成されるとともにこの空間の一側面が上記燃料タンクを外部から出し入れするためのタンク出し入れ口として外部に開口する状態で設け、上記締め付けロッドを、上記タンク出し入れ口側の燃料タンク側面部に対面する状態で着脱自在、かつ、取り外し状態で上記燃料タンクの出し入れが可能となる状態で配置したこと。
【００１７】
請求項２の発明は、請求項１の構成において、上記締め付けロッドをロッド本体と同本体の上端側に連設したねじ部とによって構成し、上記ロッド本体の下端部を上記フレームに係止させる一方、上記ねじ部を上記押えプレートの端部に挿通させ、このねじ部にナットをねじ込むことによって燃料タンクをフレーム上に押え込み固定するように構成し、かつ、上記締め付けロッドのねじ部をロッド本体よりも小径とすることによって両者の境界部分に段部を形成し、上記押えプレートの締め付け代をこの段部によって規制するように構成したものである。
【００１８】
請求項３の発明は、請求項１または２の構成において、上記燃料タンクにおける上記締め付けロッドに対面する側面部に、締め付けロッドに対する逃げ用の凹溝を上下方向に設けたものである。
【００１９】
請求項４の発明は、請求項１〜３のいずれかの構成において、上記動き止め部材として、ゴム等の摩擦係数の高い弾性材料から成る受けパッドを上記フレームの上面に取付け、この受けパッドには上面に凸部を設け、この凸部を含めた受けパッド上面を燃料タンクの下面に接触させた状態で、上記凸部を、燃料タンク下面に設けた凹部に嵌合させるように構成したものである。
【００２０】
請求項５の発明は、請求項４の構成において、上記フレームの上面に金属製の止め板を取付け、上記受けパッドをこの止め板に嵌着したものである。
【００２１】
請求項６の発明は、請求項１〜５のいずれかの構成において、上記動き止め部材として、ゴム等の摩擦係数の高い弾性材料から成る押えパッドを上記燃料タンクと押えプレートとの間に挟み込む一方、燃料タンクの上面に凹部を設け、上記押えパッドをこの凹部に嵌合させるように構成したものである。
【００２２】
請求項７の発明は、請求項６の構成において、上記押えプレートを、水平な本体部分の
幅方向両側に立ち上がり壁を備えた断面Ｕ字形に形成するとともに、上記押えパッドをこの押えプレートに下側から外嵌する断面Ｕ字形に形成したものである。
【００２３】
請求項８の発明は、請求項６または７の構成において、上記押えパッドにおける燃料タンクに接触する面を多数のディンプルを備えた凹凸状に形成したものである。
【００２４】
請求項９の発明は、請求項６〜８のいずれかの構成において、上記押えパッドの上面に上向きに突出する突起を一体に設ける一方、上記押えプレートに係合穴を設け、上記突起をこの係合穴に係合させることによって押えパッドを押えプレートに結合するように構成したものである。
【発明の効果】
【００２５】
本発明によると、合成樹脂製の燃料タンクを、押えプレートと締め付けロッドとによって機械のフレームに上から押え込むのに加えて、タンク上面側及び下面側のうち少なくとも下面側(請求項７〜１０では上面側と下面側の双方)において、タンク側の凹部と相手側(下面側の場合はフレーム、上面側の場合は押えプレート)の動き止め部材の凹凸嵌合によって水平方向に固定する構成としたから、燃料タンクをフレームに対し、上下方向の主固定力と水平方向の動き止め力とを合わせた十分な固定力によって安定良く固定することができる。
【００２６】
このため、激しい振動や衝撃によっても燃料タンクがずれ動くおそれがなくなる。
【００２７】
また、タンク下面側の凹部と動き止め部材の凹凸嵌合部分によって燃料タンク取付時の位置決めが容易となる。
【００２８】
さらに、タンク上面側に配置した押えプレートを、タンク側面側に配置した締め付けロッドで締め付ける構成であって、タンク側面側の固定部品が嵩張らない締め付けロッドのみとなるため、限られたスペース内で水平方向のタンクサイズを大きくし、タンク容量を大きくとることができる。
【００２９】
一方、上記基本的効果に加えて、前記した小型油圧ショベルのようにフレームとフロアプレートとの間に燃料タンクを外部から出し入れ可能に設置する機械において、締め付けロッドをタンク出し入れ口側のタンク側面に対面する状態で着脱自在に配置したから、同ロッドを取り外すことによって燃料タンクを簡単に出し入れすることができる。
【００３０】
ここで、請求項２の発明によると、締め付けロッドのロッド本体の下端部をフレームに係止させた状態でねじ部を押えプレートに挿通させてナットで締め込む構成とし、これを前提としてロッド本体とねじ部の境界部分に段部に形成し、押えプレートの締め付け代をこの段部によって規制する構成としたから、タンク締め付け力(押え付け力)を正確に管理し、締め付け不足や締め付け過ぎを防止することができる。
【００３１】
請求項３の発明によると、燃料タンクにおける締め付けロッドに対面する側面部に同ロッドに対する逃げ用の凹溝を設けたから、タンク側面を外向きに最大限拡張してタンク容量を増やすことができる一方で、凹溝部分がリブとして補強効果を発揮し、タンク側面部の強度を高めることができる。
【００３２】
請求項４，５の発明によると、請求項１における動き止め部材としてゴム等の摩擦係数の高い弾性材料から成る凸部付きの受けパッドをフレーム上面に取付け、凸部を含めた受けパッド上面を燃料タンクの下面に接触させた状態で、凸部を、燃料タンク下面に設けた凹部に嵌合させるため、凹凸嵌合による水平方向の固定力に受けパッドによる摩擦作用と
緩衝作用がプラスされることで、固定力をさらに高めることができるとともに、振動や衝撃から燃料タンクを保護し、その破損を防止することができる。
【００３３】
この場合、請求項５の発明によると、フレーム上面に金属製の止め板を取付け、受けパッドをこの止め板に嵌着したから、受けパッドそのものがずれ動いたり外れたりするおそれがない。
【００３４】
請求項６〜９の発明によると、燃料タンクの上下両面側でタンクと相手側とを凹凸嵌合させて燃料タンクを水平方向に固定すること、上面側の動き止め部材としてゴム等の摩擦係数の高い弾性材料から成る押えパッドを用いたことにより、水平方向のタンク固定力を一層高め、ずれ動きをより確実に防止することができる。
【００３５】
この場合、請求項７の発明によると、押えプレートを断面Ｕ字形に形成し、同じく断面Ｕ字形の押えパッドをこの押えプレートに下側から外嵌させる構成としたから、この両者の強度と剛性を高めて、上下方向の主固定力と水平方向の動き止め力の双方を強化することができる。
【００３６】
請求項８の発明によると、押えパッドにおける燃料タンクに接触する面を多数のディンプルを備えた凹凸状に形成したから、水平方向の動き止め力をさらに高めることができる。
【００３７】
請求項９の発明によると、押えパッドと押えプレートを互いの突起と係合穴で結合するため、両者の相対移動(ずれ動き)を防止し、タンクの動き止め作用をより確実なものとすることができる。
【図面の簡単な説明】
【００３８】
【図１】本発明の実施形態にかかる燃料タンク取付装置によって燃料タンクを取付けた状態の油圧ショベルのアッパーフレームの概略平面図である。
【図２】同一部拡大斜視図である。
【図３】図１のＩＩＩ−ＩＩＩ線拡大断面図である。
【図４】図３のＩＶ−ＩＶ線拡大断面図である。
【図５】押えプレートと押えパッドの分解斜視図である。
【図６】押えプレートに押えパッドを取付け、かつ、締め付けロッドをセットした状態で押えプレートの一端部を下側から見た斜視図である。
【図７】本発明の適用対象である小型油圧ショベルを一部切り欠いて示す概略側面図である。
【発明を実施するための形態】
【００３９】
本発明の実施形態を図１〜図６によって説明する。
【００４０】
実施形態は、背景技術の説明に合わせて、図７に示す小型油圧ショベルの上部旋回体２に合成樹脂製の燃料タンクを設置する場合を例にとっている。
【００４１】
実施形態において、
(ｉ)  アッパーフレーム１１にエンジン等の機器類及びこれらを覆うガードパネル、運転席(いずれも図示しない)等を取付けて上部旋回体を構成する点、
(ｉｉ)  アッパーフレーム１１は底板１２を有し、この底板１２上の左側(図１の左側
を機械の前方とした場合の左側であって図３では右側。以下にいう前後、左右の方向性について同じ)にフロアプレート１３(図２，３参照)が設けられる点、
(ｉｉｉ)  このフロアプレート１３は、アッパーフレーム底板１２との間に空間Ｓが形
成されるとともにこの空間Ｓの左側面がタンク出し入れ口として外部に開口する状態で、支柱１４(左側前部の１本のみ図示する)によって底板１２上に取付けられる点、
(ｉｖ)  合成樹脂製の燃料タンク１５は、空間Ｓに外部から出し入れ口を介して出し入れ可能な状態で設置される点
は、図７に示す従来技術と同じである。
【００４２】
なお、アッパーフレーム１１には、前端部にアタッチメント取付ブラケット１６が設けられるとともに、左右方向の中間左右両側に前後方向に延びる縦板１７，１８、前後方向の中間部に縦板１７，１８と交差して左右方向に延びる仕切り壁１９がそれぞれ底板１２から垂直に立ち上がる状態で設けられ、仕切り壁１９で仕切られたアッパーフレーム後部にエンジンとその関連機器類が設置される。
【００４３】
燃料タンク１５は、図１，２に示すように左側縦板１７と仕切り壁１９で区画されたアッパーフレーム左側の前部に大部分が収容され、後端部のみが仕切り壁１９の後方に位置する状態で前記空間Ｓに設置される。
【００４４】
なお、タンク後端部の上面に、先端に給油口を供えた給油管が取付けられるが、本発明とは直接関係ないため図示省略している。
【００４５】
燃料タンク１５は、空間Ｓにおいて前後一対の押えプレート２０，２０と、タンク左右の側面側でこの押えプレート２０，２０を下向きに締め付ける左右の締め付けロッド２１，２１とによって上からアッパーフレーム底板１２上に押え込まれ、かつ、上下両側で凹凸嵌合によって水平方向に固定される。
【００４６】
この点を詳述する。
【００４７】
押えプレート２０及び締め付けロッド２１による押さえ込み構造と、タンク上下両側での凹凸嵌合による水平固定構造はタンク左右両側で同じであって、かつ、前後両側のタンク取付部分でも同じであるため、以下の説明は一組または一個所のみについて行う。
【００４８】
押えプレート２０は、図示のように水平な本体部分の前後両側に垂直な立ち上がり壁を備えた断面Ｕ字形に形成され、燃料タンク１５の上面に左右方向の全幅に亘って配置される。
【００４９】
この押えプレート２０には、左右両端部にロッド挿通穴２２，２２が設けられるとともに、このロッド挿通穴２２，２２よりも内側に係合穴２３，２３が設けられている(図５
参照)。
【００５０】
また、同プレート２０の左右両側の下面と燃料タンク上面との間に、ゴム等の摩擦係数の高い弾性材料から成る上側動き止め部材部材としての押えパッド２４，２４が挟み込まれる。
【００５１】
この押えパッド２４，２４は、押えプレート２０の断面形状に対応する断面Ｕ字形に形成され、押えプレート２０に下側から外嵌される。
【００５２】
ここで、押えパッド２４，２４の上面に上向きに突出する突起２５，２５が設けられ、この突起２５，２５が押えプレート２０の係合穴２３，２２に係合することによって押えパッド２４，２４が押えプレート２０に結合される。
【００５３】
また、燃料タンク上面に対する摩擦力を高める工夫として、図６に示すように押えパッ
ド２４，２４の下面が多数のディンプル２４ａ…を備えた凹凸状に形成されている。
【００５４】
一方、燃料タンク１５の上面における押えプレート２０の両端部に対応する部分(左右
両端部)に凹部２６，２６が設けられ、押えパッド２４，２４がこの凹部２６，２６に嵌
合する(図３，４参照)。
【００５５】
これにより、タンク上面側において燃料タンク１５が前後及び左右方向に位置固定される。
【００５６】
締め付けロッド２１は、ロッド本体２７と、同本体２７の上端側に連設されたねじ部２８とによって構成されている。
【００５７】
ロッド本体２７の下端部はフック状に曲げられ、このフック部分２７ａが、アッパーフレーム底板１２の上面に取付けられたＬ字形のロッド止め具２９に着脱自在に引っ掛け係止される。
【００５８】
この状態で、ねじ部２８が押えプレート２０のロッド挿通穴２２に挿通され、これにナット(図ではダブルナットとしている)３０がねじ込まれる。
【００５９】
これにより、押えプレート２０が下向きに締め付けられて、燃料タンク１５がアッパーフレーム底板１２に上から押さえ込まれる。
【００６０】
ここで、図４に示すように、締め付けロッド２１のねじ部２８がロッド本体２７よりも小径とされることによって両者の境界部分に段部２１ａが形成され、この段部２１ａによって押えプレート２０の締め付け代が規制される。
【００６１】
また、燃料タンク１５における締め付けロッド２１に対面する左右両側面に、同ロッド２１に対する逃げ用の凹溝３１(図２，３参照)がタンク全高に亘って設けられ、締め付けロッド２１がこの凹溝３１内に配置される。
【００６２】
次に、タンク下面側の凹凸嵌合構造を説明する。
【００６３】
燃料タンク１５の下面において、図３に示すように上面側の凹凸嵌合構造にほぼ対応する位置に凹部(以下、これを下側凹部、上面側の凹部２６を上側凹部という場合がある)３２が設けられる一方、この凹部３２に対面するアッパーフレーム底板１２の上面に下側動き止め部材としての受けパッド３３が取付けられている。
【００６４】
この受けパッド３３は、上面中央部に上向きの凸部３３ａを有し、この凸部３３ａを含めた受けパッド上面が燃料タンク下面に接触する状態で、凸部３３ａが凹部３２に嵌まり込む。
【００６５】
これにより、タンク下面側で燃料タンク１５が前後及び左右方向に位置固定される。
【００６６】
図３中、３４はアッパーフレーム底板１２の上面にボルト止めされた金属製の皿状の止め板で、受けパッド３３はこの止め板３４に上から弾性的に嵌着されている。
【００６７】
上記のようにこの燃料タンク取付装置によると、合成樹脂製の燃料タンク１５を、前後両側の押えプレート２０と締め付けロッド２１とによってアッパーフレーム底板１２に上から押え込むのに加えて、タンク上面側及び下面側の双方において、凹部２６，３２と動き止め部材(上面側は押えパッド２４、下面側は受けパッド３３)の凹凸嵌合構造によって
水平全方向に固定する構成としたから、燃料タンク１５をアッパーフレーム底板１２に対し、上下方向の主固定力と水平方向の動き止め力とを合わせた十分な固定力によって安定良く固定することができる。
【００６８】
このため、激しい振動や衝撃によっても燃料タンク１５がずれ動くおそれがなくなる。
【００６９】
また、下側凹部３２と受けパッド３３の凹凸嵌合部分によって燃料タンク取付時の位置決めが容易となる。
【００７０】
さらに、タンク上面側に配置した押えプレート２０を、タンク側面側に配置した締め付けロッド２１で締め付ける構成であって、タンク側面側の固定部品が嵩張らない締め付けロッド２１のみとなるため、限られたスペース内で水平方向のタンクサイズを大きくし、タンク容量を大きくとることができる。
【００７１】
また、これらに加えて次の作用効果を得ることができる。
【００７２】
(Ｉ)  締め付けロッド２１のロッド本体２７の下端部をアッパーフレーム底板１２(ロ
ッド止め具２９)に係止させた状態でねじ部２８を押えプレート２０に挿通させてナット
２９で締め込む構成を前提として、ロッド本体２７とねじ部２８の境界部分に段部２１ａを形成し、押えプレート２０の締め付け代をこの段部２１ａによって規制する構成、つまり、押えプレート２０が段部２１ａに当たるまで締め付け可能で、段部２１ａを超えて締め付けることができない構成としたから、タンク締め付け力(押え付け力)を正確に管理し、締め付け不足や締め付け過ぎを防止することができる。
【００７３】
(ＩＩ)  燃料タンク１５における締め付けロッド２１に対面する左側面部に同ロッド２１に対する逃げ用の凹溝３１を設けたから、タンク左側面を最大限外向きに拡張してタンク容量を増やすことができる。
【００７４】
また、この凹溝形成部分がリブとして補強効果を発揮し、タンク側面部の強度を高めることができる。
【００７５】
(ＩＩＩ)  この実施形態で適用対象とした小型油圧ショベルのようにアッパーフレーム底板１２とフロアプレート１３との間の空間Ｓに燃料タンク１５を外部から出し入れ可能に設置する機械において、締め付けロッド２１をタンク出し入れ口側のタンク側面部(左
側面部)に着脱自在に配置したから、タンク洗浄等のためのメンテナンス時に、同ロッド
２１を取り外すことによって燃料タンク１５を簡単に出し入れすることができる。
【００７６】
(ＩＶ)  下側動き止め部材としてゴム等の摩擦係数の高い弾性材料から成る凸部３３ａ付きの受けパッド３３をアッパーフレーム底板１２の上面に取付け、凸部３３ａを含めた受けパッド上面を燃料タンク１５の下面に接触させた状態で、凸部３３ａを、燃料タンク下面に設けた下側凹部３２に嵌合させるため、凹凸嵌合による水平方向の固定力に、受けパッド３３による摩擦作用と緩衝作用がプラスされることで、固定力をさらに高めることができるとともに、振動や衝撃から燃料タンク１５を保護し、その破損を防止することができる。
【００７７】
この場合、アッパーフレーム底板１２の上面に金属製の止め板３４を取付け、受けパッド３３をこの止め板３４に嵌着したから、受けパッド３３そのものがずれ動いたり外れたりするおそれがない。
【００７８】
(Ｖ)  燃料タンク１５の上面側でも同タンク１５と押えプレート２０とを凹凸嵌合させ
て燃料タンク１５を水平方向に固定すること、上面側動き止め部材として下面側同様、ゴム等の摩擦係数の高い弾性材料から成る押えパッド２４を用いたことにより、水平方向のタンク固定力を一層高め、ずれ動きをより確実に防止することができる。
【００７９】
(ＶＩ)  押えプレート２０を断面Ｕ字形に形成し、同じく断面Ｕ字形の押えパッド２４をこの押えプレート２０に下側から外嵌させる構成としたから、この両者の強度と剛性を高めて、上下方向の主固定力と水平方向の動き止め力の双方を強化することができる。
【００８０】
(ＶＩＩ)  押えパッド２４における燃料タンク１５に接触する下面を多数のディンプル２４ａ…を備えた凹凸状に形成したから、水平方向の動き止め力をさらに高めることができる。
【００８１】
(ＶＩＩＩ)  押えパッド２４と押えプレート２０を互いの突起２５と係合穴２３で結合するため、両者の相対移動(ずれ動き)を防止し、燃料タンク１５の動き止め作用をより確実なものとすることができる。
【００８２】
他の実施形態
(１)  上記実施形態では、燃料タンク１５の上下両面側で動き止め部材(押えパッド２
４、受けパッド３３)と凹部２６，３２を凹凸嵌合させる構成をとったが、タンク下面側
のみに凹凸嵌合構造を設けてもよい。
【００８３】
(２)  上記実施形態のようにタンク上下両面側で凹凸嵌合構造をとる場合に、たとえば下面側では上記実施形態と同様に燃料タンク１５の水平全方向の位置固定を行い、上面側では同タンク１５の左右、前後両方向のいずれか一方の位置固定のみを行うようにしてもよい。
【００８４】
あるいは、タンク上面側で前後、左右両方向のいずれか一方の位置固定、タンク下面側で他方の位置固定を行うようにしてもよい。
【００８５】
(３)  押えプレート２０に関して、上記実施形態では同プレート２０を燃料タンク１５の前後二個所に設けたが、タンクサイズ等によっては三個所以上、あるいは一個所のみに設けてもよい。
【００８６】
また、上記実施形態では押えプレート２０を燃料タンク上面に左右方向に設け、左右両側で締め付けロッド２１によって締め付ける構成をとったが、燃料タンク１５の前後両側にスペースを確保できることを条件に、同プレート２０を前後方向に設け、前後両側で締め付けロッド２１によって締め付ける構成をとってもよい。
【００８７】
(４)  上記実施形態では、アッパーフレーム１１の左側前部においてアッパーフレーム底板１２とフロアプレート１３との間の空間Ｓに燃料タンク１５を設置する場合を例示したが、この燃料タンク１５の設置位置は機械のアッパーフレーム構成や機器レイアウト等に応じて変更可能である。
【符号の説明】
【００８８】
１１  アッパーフレーム(機械のフレーム)
１２  アッパーフレーム底板
１３  フロアプレート
１５  燃料タンク
２０  押えプレート
２１  締め付けロッド
２１ａ  締め付けロッドの段部
２２  押えプレートのロッド挿通穴
２３  同、係合穴
２４  押えパッド(動き止め部材)
２４ａ  押えパッドのディンプル
２５  同、突起
２６  燃料タンク上面の凹部
２７  締め付けロッドのロッド本体
２７ａ  ロッド本体のフック部分
２８  締め付けロッドのねじ部
２９  ロッド本体をアッパーフレーム底板に係止させるロッド止め具
３０  ナット
３１  燃料タンクの締め付けロッドに対する逃げ用の凹溝
３２  燃料タンク下面の凹部
３３  受けパッド(動き止め部材)
３３ａ  受けパッドの凸部
３４  受けパッド取付用の止め板
【図１】
0005212441.tif 000002
【図２】
0005212441.tif 000003
【図３】
0005212441.tif 000004
【図４】
0005212441.tif 000005
【図５】
0005212441.tif 000006
【図６】
0005212441.tif 000007
【図７】
0005212441.tif 000008